(57)【要約】【課題】適切に床ずれを防止すること。【解決手段】ベッドは、膨張状態と収縮状態とを切替える単位マットＳｘ１〜Ｓｘｐ、Ｓｙ１〜Ｓｙｐを二次元状に複数並べて構成されるマットと、複数の単位マットＳｘ１〜Ｓｘｐ、Ｓｙ１〜Ｓｙｐを２つの単位マット群に分け、第１の単位マット群Ｓｘ１〜Ｓｘｐを膨張させて第２の単位マット群Ｓｙ１〜Ｓｙｐを収縮させる第１状態、および第２の単位マット群Ｓｙ１〜Ｓｙｐを膨張させて第１の単位マット群Ｓｘ１〜Ｓｘｐを収縮させる第２状態を、順番に切替える制御部３１と、を備え、制御部３１は、第１状態と第２状態との切替え時において、２つの状態が重複する時間を設ける。【選択図】図４
2014144205.tif 000002
【特許請求の範囲】
【請求項１】
膨張状態と収縮状態とを切替える単位マットを二次元状に複数並べて構成されるマットと、
前記複数の単位マットを２つの単位マット群に分け、第１の単位マット群を膨張させて第２の単位マット群を収縮させる第１状態、および前記第２の単位マット群を膨張させて前記第１の単位マット群を収縮させる第２状態を、順番に切替える制御部と、を備え、
前記制御部は、前記第１状態と前記第２状態との切替え時において、前記２つの状態が重複する時間を設けることを特徴とするベッド。
【請求項２】
請求項１に記載のベッドにおいて、
前記単位マットは、内部に空気を溜めることによって膨張し、前記内部の空気を排出することによって収縮することを特徴とするベッド。
【請求項３】
請求項２に記載のベッドにおいて、
前記単位マットは、直方体形状の袋および前記袋内に配された略立方体形状のスポンジ部材を有し、前記膨張時の空気は前記袋内で前記スポンジ部材の上部に溜まることを特徴とするベッド。
【請求項４】
請求項３に記載のベッドにおいて、
前記袋は、内部の空気を徐々に外部へ排出する通気孔を上面および側面の少なくとも一方に備えることを特徴とするベッド。
【請求項５】
請求項４に記載のベッドにおいて、
前記単位マット内に溜める空気の温度を調節する温度調節部をさらに備えることを特徴とするベッド。
【発明の詳細な説明】
【技術分野】
【０００１】
本発明は、介護等に使用するベッドに関する。
【背景技術】
【０００２】
いわゆる寝たきりの人が使用するベッドにおいて、床ずれを防止する技術が知られている（特許文献１参照）。ベッド上に並べた複数のチューブ内の圧力を所定順序で加圧および減圧するように制御することで、横臥者を支える位置を変化させる。
【先行技術文献】
【特許文献】
【０００３】
【特許文献１】実開平７−２８５３５号公報
【発明の概要】
【発明が解決しようとする課題】
【０００４】
従来の技術では、チューブと接触する身体の感触が明らかに変化するので、寝る人の安眠の妨げになるという問題があった。
【課題を解決するための手段】
【０００５】
本発明によるベッドは、膨張状態と収縮状態とを切替える単位マットを二次元状に複数並べて構成されるマットと、複数の単位マットを２つの単位マット群に分け、第１の単位マット群を膨張させて第２の単位マット群を収縮させる第１状態、および第２の単位マット群を膨張させて第１の単位マット群を収縮させる第２状態を、順番に切替える制御部と、を備え、制御部は、第１状態と第２状態との切替え時において、２つの状態が重複する時間を設けることを特徴とする。
【発明の効果】
【０００６】
本発明によるベッドでは、適切に床ずれを防止できる。
【図面の簡単な説明】
【０００７】
【図１】本発明の一実施の形態によるベッドの概要を説明する図である。
【図２】小マットの１つを拡大した図である。
【図３】図１のマット部を上から見た図である。
【図４】圧力制御部の構成を例示する図である。
【図５】２つの小マット群に対する加圧空気の供給タイミングを例示する図である。
【発明を実施するための形態】
【０００８】
以下、図面を参照して本発明を実施するための形態について説明する。図１は、本発明の一実施の形態によるベッド１０の概要を説明する図である。図１において、ベッド１０は、ベース１２の上にマット部１１が設けられている。マット部１１は、セル状に構成された複数の小マットＳｘ１、Ｓｙ１、Ｓｘ２、Ｓｙ２、…Ｓｘｐ、Ｓｙｐをベース１２上に敷きつめて構成される。
【０００９】
ベース１２内には、圧力制御部１３が設けられている。圧力制御部１３は、上記小マットＳｘ１、Ｓｙ１、Ｓｘ２、Ｓｙ２、…Ｓｘｐ、Ｓｙｐ内の空気の加圧および減圧を所定のタイミングで切替えることにより、横臥者を支持する位置を変化させる。つまり、加圧状態の小マットが横臥者を支え、減圧状態の小マットは横臥者に触れない。
【００１０】
図２は、小マットＳｘ１、Ｓｙ１、Ｓｘ２、Ｓｙ２、…Ｓｘｐ、Ｓｙｐの１つを拡大した図である。図２(a)は、小マットＳｘ（またはＳｙ）内に空気を送って加圧した状態を例示する図であり、図２(b)は、小マットＳｘ（またはＳｙ）内の空気を減圧した状態を例示する図である。
【００１１】
図２(a)において、直方体形状に膨らんだ袋２１の中に、袋２１より高さが低い略立方体形状のスポンジ部材２２が設けられている。スポンジ部材２２は、例えば、独立気泡体で構成され、連続気泡体で構成される場合に比べて高い反発性能を備えている。
【００１２】
袋２１は、例えば、軟質塩化ビニルフィルムなどによって構成され、温度変化に伴う硬度変化が小さく、触感に優れ、帯電しにくく、伸び縮み変化が小さい。袋２１の内部へは、底面側に設けられた開口（不図示）から空気が送り込まれる。袋２１内に送り込まれた空気は、袋２１とスポンジ部材２２との隙間を通ってスポンジ部材２２の上部に溜まる。
【００１３】
スポンジ部材２２の上部に溜まった空気は、袋２１を上方へ膨らませる。袋２１の側面のうちスポンジ部材２２の高さより高い部位と、袋２１の上面には、微細な通気孔２３が多数設けられている。膨らんだ袋２１の通気孔２３から袋２１の外へ向けて、袋２１内の空気が少しずつ放出されるが、袋２１が収縮しないように新たな空気が袋２１内へ供給される。図２(a)の状態の小マットＳｘ（またはＳｙ）の固さは、スポンジ部材２２の上部に溜まった空気の量に応じて変化する。
【００１４】
膨らんだ袋２１に対する空気の供給が止まると、袋２１内でスポンジ部材２２の上部に溜まった空気が徐々に減り始める。やがて、図２(b)に例示するように、袋２１はスポンジ部材２２の高さまで収縮する。なお、上記底面側の開口から空気を強制的に吸引すると、袋２１が収縮する時間を短縮できる。図２(b)の状態の小マットＳｘ（またはＳｙ）の固さは、スポンジ部材２２の反発力で決定される。
【００１５】
小マットＳｘ（またはＳｙ）のサイズは、例えば、袋２１の底面を１辺５cm〜１０cmの正方形で構成し、スポンジ部材２２の高さを約１０cm、袋２１の高さを約２０cmとする。そして、ｘ系統の小マット群Ｓｘと、ｙ系統の小マット群Ｓｙとに分けて、これら２系統の小マット群Ｓｘ、Ｓｙの間で空気を送る（すなわち加圧する）タイミングと、空気を止める（すなわち減圧する）タイミングとを異ならせる。
【００１６】
図３は、図１のマット部１１を上から見た図である。図３において、斜線を引いた小マットがｘ系統の小マットＳｘを表し、白色で示した小マットがｙ系統の小マットＳｙを表す。本実施形態では、全体の略半分の小マットＳｘと、残りの小マットＳｙとに対して交互に空気を供給する。
【００１７】
図４は、圧力制御部１３の構成を例示する図である。制御部３１は、小マット群Ｓｘ１〜Ｓｘｐ（またはＳｙ１〜Ｓｙｐ）に対する空気の供給タイミング、および供給する空気の温度を制御する。温度センサ２０は、マット部１１の上面に配設され（例えば、横臥者の頭部側）、マット部１１上の温度を検出する。温度センサ２０による温度検出信号は、制御部３１へ送られる。
【００１８】
エアポンプ３２は、制御部３１からの指示により、空気を所定の圧力で送り出す。エアポンプ３２から送り出された加圧空気は、フィルタ３３を介して熱交換器３４へ送られる。フィルタ３３は、ポンプ３２から送り出された空気中の埃等を除去する。加圧空気に埃が含まれると、小マットＳｘ（またはＳｙ）において袋２１の通気孔２３を詰まらせるおそれがあるからである。熱交換器３４は、加圧空気の温度を所定の温度に調整する。調整温度は、制御部３１から指示される。制御部３１は、調整温度を温度センサ２０からの温度検出信号に基づいて決定する。
【００１９】
第１膨張弁３５および第１減圧弁３６は、それぞれ制御部３１によって開閉量が制御される。第１膨張弁３５が開かれると、加圧空気をｘ系統の小マット群Ｓｘ１〜Ｓｘｐへ供給する。第１減圧弁３６が開かれると、ｘ系統の小マット群Ｓｘ１〜Ｓｘｐからの空気を排出する。
【００２０】
第２膨張弁３７および第２減圧弁３８は、それぞれ制御部３１によって開閉量が制御される。第２膨張弁３７が開かれると、加圧空気をｙ系統の小マット群Ｓｙ１〜Ｓｙｐへ供給する。第２減圧弁３８が開かれると、ｙ系統の小マット群Ｓｙ１〜Ｓｙｐからの空気を排出する。
【００２１】
なお、上記第１減圧弁３６および第２減圧弁３８は、通常は閉じたままでよく、通気孔２３からの自然通気による袋２１の収縮速度が遅い場合にのみ、必要に応じて開くように構成されている。
【００２２】
図５は、ｘ系統の小マット群Ｓｘ１〜Ｓｘｐに対する加圧空気の供給タイミングと、ｙ系統の小マット群Ｓｙ１〜Ｓｙｐに対する加圧空気の供給タイミングとを例示する図である。制御部３１は、時刻ｔ＝０において制御を開始する。本実施形態では、制御開始からｔ＝１分までは、ｘ系統およびｙ系統の全ての小マット群へ加圧空気を供給する。これにより、全小マット群Ｓｘ１〜Ｓｘｐ，Ｓｙ１〜Ｓｙｐにおいて袋２１が膨らむ。
【００２３】
制御部３１は、ｔ＝７分までｘ系統の小マット群Ｓｘ１〜Ｓｘｐに対する加圧空気の供給を継続する一方で、ｔ＝１分においてｙ系統の小マット群Ｓｙ１〜Ｓｙｐに対する加圧空気の供給を停止する。これにより、ｙ系統の小マット群Ｓｙ１〜Ｓｙｐが収縮を始める。このため、次にｙ系統の小マット群Ｓｙ１〜Ｓｙｐに対して加圧空気の供給が開始されるｔ＝６分までの５分間は、ｘ系統の小マット群Ｓｘ１〜Ｓｘｐのみが膨らんでマット部１１上の横臥者を支える。
【００２４】
ｔ＝６分において、制御部３１はｙ系統の小マット群Ｓｙ１〜Ｓｙｐに対する加圧空気の供給を開始し、ｔ＝１３分までｙ系統の小マット群Ｓｙ１〜Ｓｙｐに対する加圧空気の供給を継続する。一方、制御部３１は、ｔ＝７分においてｘ系統の小マット群Ｓｘ１〜Ｓｘｐに対する加圧空気の供給を停止する。これにより、ｘ系統の小マット群Ｓｘ１〜Ｓｘｐが収縮を始める。このため、次にｘ系統の小マット群Ｓｘ１〜Ｓｘｐに対して加圧空気の供給が開始されるｔ＝１２分までの５分間は、ｙ系統の小マット群Ｓｙ１〜Ｓｙｐのみが膨らんでマット部１１上の横臥者を支える。
【００２５】
制御部３１は、以降同様の処理を繰り返すことで、ｘ系統の小マット群Ｓｘ１〜Ｓｘｐと、ｙ系統の小マット群Ｓｙ１〜Ｓｙｐとに対し、順番に空気を供給する。ｘ系統の小マット群に対する加圧空気の供給時間と、ｙ系統の小マット群に対する加圧空気の供給時間との切替えの際に、ｘ系統とｙ系統の双方の小マット群に加圧空気を供給するように１分間の重複時間を設けているが、この重複時間は適宜変更してよい。例えば、通気孔２３を介した自然排出による袋２１の収縮速度が速い場合や、空気が供給された袋２１が膨らむ速度が遅い場合には重複時間を長くする。反対に、通気孔２３からの自然排出による袋２１の収縮速度が遅い場合や、空気が供給された袋２１が膨らむ速度が速い場合には重複時間を短くして構わない。
【００２６】
以上説明した実施形態によれば、次の作用効果が得られる。
（１）ベッド１０は、膨張状態と収縮状態とを切替える小マットＳｘ（Ｓｙ）を二次元状に複数並べて構成されるマット部１１と、複数の小マットＳｘ（Ｓｙ）を２つの小マット群Ｓｘ１〜Ｓｘｐ、Ｓｙ１〜Ｓｙｐに分け、第１の小マット群Ｓｘ１〜Ｓｘｐを膨張させて第２の小マット群Ｓｙ１〜Ｓｙｐを収縮させる第１状態、および第２の小マット群Ｓｙ１〜Ｓｙｐを膨張させて第１の小マット群Ｓｘ１〜Ｓｘｐを収縮させる第２状態を、順番に切替える制御部３１と、を備え、制御部３１は、第１状態と第２状態との切替え時において、２つの状態が重複する時間を設けるようにした。これにより、横臥者を支える位置を切替える際の身体の感触の変化が抑えられ、安眠を妨げることなく床ずれを防止できる。
【００２７】
（２）上記（１）のベッドにおいて、小マットＳｘ（Ｓｙ）は、内部に空気を溜めることによって膨張し、内部の空気を排出することによって収縮するので、膨張と収縮とをスムーズに切替えられる。
【００２８】
（３）上記（２）のベッドにおいて、小マットＳｘ（Ｓｙ）は、直方体形状の袋２１および袋２１内に配された略立方体形状のスポンジ部材２２を有し、膨張時の空気は袋２１内でスポンジ部材２２の上部に溜まるようにした。これにより、空気で膨らんだ袋２１で身体を支えるので、柔らかく身体を支えることができる。
【００２９】
（４）上記ベッドにおいて、袋２１は、内部の空気を徐々に外部へ排出する通気孔２３を備えたので、身体の蒸れ防止に好適である。
【００３０】
（５）小マットＳｘ（Ｓｙ）内に溜める空気の温度を調節する熱交換器３４をさらに備えるようにしたので、適切な温度の小マットで身体を支えることができる。
【００３１】
（変形例１）
上述した説明では、図３に例示したようにｘ系統の小マットＳｘとｙ系統の小マットＳｙとを市松模様状に配したが、図３において縦方向に並ぶ１列ごとに小マットＳｘおよび小マットＳｙを配してもよい。また、図３において横方向に並ぶ１行ごとに小マットＳｘおよび小マットＳｙを配してもよい。
【００３２】
（変形例２）
図３において、袋２１の上面と、袋２１の側面でスポンジ部材２２の高さより高い部位とに、微細な通気孔２３を設ける例を説明したが、通気孔２３は、上面または側面のいずれか一方に設けてもよい。
【００３３】
（変形例３）
床ずれ防止を観点に説明したが、マッサージ機能として用いるようにしてもよい。例えば、ｘ系統の小マット群に対する加圧空気の供給時間と、ｙ系統の小マット群に対する加圧空気の供給時間とをそれぞれ１０秒とし、ｘ系統とｙ系統の切替えの際の重複時間を設けない。これにより、横臥者を支える位置を切替える際に、意図的に身体の感触を変化させて、マッサージ効果が得られる。また、ｘ系統またはｙ系統への加圧空気の供給のみを間欠で繰り返し、マッサージ効果を得るようにしてもよい。
【００３４】
以上の説明はあくまで一例であり、上記の実施形態の構成に何ら限定されるものではない。
【符号の説明】
【００３５】
１０…ベッド
１１…マット部
１２…ベース
１３…圧力制御部
２０…温度センサ
２１…袋
２２…スポンジ部材
２３…通気孔
３１…制御部
３２…エアポンプ
３３…フィルタ
３４…熱交換器
３５…第１膨張弁
３６…第１減圧弁
３７…第２膨張弁
３８…第２減圧弁
Ｓｘ、Ｓｙ…小マット
【図１】
2014144205.tif 000003
【図２】
2014144205.tif 000004
【図３】
2014144205.tif 000005
【図４】
2014144205.tif 000006
【図５】
2014144205.tif 000007